(57)【要約】      （修正有）【課題】地面に敷設した防草シート等が捲き上がらないように止着する固定ピンを提供する。【解決手段】固定ピンは螺旋状ピン１の上端に頭部２を形成し、そして螺旋状ピン１の上端には該頭部２に係止して抜けないように座金３を嵌め、螺旋状ピン１に形成した螺旋は一定厚さで一定幅の帯状長尺材を捩ることで成形される場合の形状とすることで、対向する外周縁の間には滑らかな凹状曲面を形成し、頭部２を打圧することで回転しながら地盤に打ち込まれるようにしている。【選択図】図１
0003224687.tif 000002
【実用新案登録請求の範囲】
【請求項１】
地面に敷設した防草シートや土木シート、またネットを止着する固定ピンにおいて、該固定ピンは螺旋状ピンの上端に頭部を形成し、螺旋状ピンに形成した螺旋は一定厚さで一定幅の帯状長尺材を捩ることで成形される場合の形状とすることで、対向する外周縁の間には滑らかな凹状曲面を形成し、上記頭部を打圧することで回転しながら地盤に打ち込まれるようにしたことを特徴とする防草シート等の固定ピン。
【請求項２】
上記螺旋状ピンを金属製の帯状長尺材を捩って成形した請求項１記載の防草シート等の固定ピン。
【請求項３】
上記螺旋状ピン及び頭部を樹脂を材質として射出成形した請求項１記載の防草シート等の固定ピン。
【請求項４】
上記螺旋状ピンの上端には頭部に係止して抜けないように座金を嵌めた請求項１、請求項２、又は請求項３記載の防草シート等の固定ピン。
【考案の詳細な説明】
【技術分野】
【０００１】
本考案は防草シートや土木シートを敷設した場合、該シートが捲れないように固定するピンに関するものである。
【背景技術】
【０００２】
野菜や草花などを植栽した場合、野菜や草花は種々の雑草に被圧される為に、除草対策として防草シートを利用し、雑草を抑止しながら目的の植物を成長させる植栽方法がいたるところで実用化されている。図５はこの防草シートを利用して植栽した場合であるが、地盤（イ）の表面には防草シート（ロ）が敷設されて固定ピン（ハ）、（ハ）・・・が所々に打ち込まれて固定され、この防草シート（ロ）には切り込み（ニ）、（ニ）・・・が形成されている。
【０００３】
上記切り込み（ニ）の形状はＴ字形、十字形、Ｏ形等と成っていて、この切り込み（ニ）、（ニ）・・・を押し広げて形成される開口から土を掘り上げて形成した穴に客土（ホ）を入れ、その上にポット苗（ヘ）を植えている。ポット苗（ヘ）は切り込み（ニ）の開口から防草シート（ロ）上に出て成長することになる。防草シート（ロ）は通気性があって雨水を通すことは出来るが、地面からの水分蒸発を抑制し、ポット苗（ヘ）の生育には何ら支障はないが、遮光性があって雑草の生育を基本的に防止することが出来る。
【０００４】
ところで、地盤（イ）に敷設した防草シート（ロ）が風で捲り上がらないように、所々には固定ピン（ハ）、（ハ）・・・が打たれて止着している。図６（ａ）は従来の一般的な固定ピン（ハ）を示す具体例であり、針部（チ）の上端には頭部（ト）を有し、該頭部（ト）によって防草シート（ロ）を押えることで捲り上がらないように止着される。
【０００５】
また、図６（ｂ）も従来から使用されている固定ピン（リ）を示す他の具体例である。この固定ピン（リ）は金属製ワイヤーを曲げ成形して門形を成し、２本の針部（ヌ）、（ヌ）を上端に設けた連結部（ル）によって繋いでいる。この固定ピンは２本の針部（ヌ）、（ヌ）を地盤に打ち込むことで、連結部（ル）によって防草シート（ロ）が押えられる。（ａ）に示すような１本の針部（チ）を地盤（イ）に刺して止着する固定ピン（ハ）に比べて止着力は高くなる。
【０００６】
特開２０１２−１０５６１６号に係る「見切りブロック及びこれを配置した防草シートの敷設構造」は、雑草の生育を抑える為に地面に敷設される防草シートが捲れ上らないように縁に沿って配置する見切りブロックである。
見切りブロックは複数のブロック片を有すと共に各ブロック片の間には溝を形成し、そして内部には補強材を埋着し、さらに各ブロック片にはピンが挿通して地面に打ち込むことが出来るピン穴を設けている。
【０００７】
この見切りブロックを地面に敷設した防草シートの縁に載せることで、一種の重りとなって押えることが出来る。見切りブロックと共に防草シートはピンを打ち込んで地面に固定することが出来、強風時であっても防草シートが捲れ上って飛ばされることはない。しかし、上記見切りブロックを必要とすることはコストもかかり、施工費は高くなる。
【特許文献１】特開２０１２−１０５６１６号に係る「見切りブロック及びこれを配置した防草シートの敷設構造」
【考案の開示】
【考案が解決しようとする課題】
【０００８】
このように従来の防草シートを止着する固定ピンには上記のごとき問題がある。本考案が解決しようとする課題はこの問題点であり、強風時においても敷設した防草シートや土木シート等が捲れ上がることのない止着力の大きな固定ピンを提供する。
【課題を解決するための手段】
【０００９】
本考案の防草シート等を固定するピンは、螺旋溝をほぼ全長にわたって形成している。そこで、本考案に係る固定ピンは螺旋状ピンと頭部を有し、該螺旋状ピンの上端には頭部に当たって抜けないように大きな座金が嵌っている。上記螺旋状ピンには螺旋溝が形成されているが、ネジの外周に形成される螺旋溝とは異なり、滑らかに連続した凹状曲面を有している。ただし、頭部を大きくして座金を嵌めないで構成する場合もある。
【００１０】
ここで、該固定ピンによって止着するシートの対象は、防草シートの他に河川の法面に敷設するシート、水漏れを防止する遮水シート、放射線を含んだ水を溜池に貯水する場合に漏れないように池底に敷設するシートなど、土木シートと称されるシートも対象とする。さらには網目を形成したネットも対象とする。
【００１１】
そして、螺旋溝のピッチは非常に大きく、一定厚さと一定幅を有す帯状長尺材を捩った場合に形成される螺旋溝としている。勿論、螺旋溝を形成する方法に関しては特に限定しないが、長方形断面をした帯状長尺材を捩り成形することで連続した螺旋溝が形成される。樹脂製の固定ピンであるならば、金型を用いて溶融樹脂を射出成形することも出来る。
【考案の効果】
【００１２】
本考案に係る防草シート等の固定ピンは、金属製の帯状長尺材を捩ることで成形されるもので、滑らかな凹状曲面の螺旋溝を有した螺旋状ピンとなる。勿論、樹脂を材質として射出成形することも可能であるが、帯状長尺材を捩り成形した螺旋状ピンの螺旋溝のピッチは大きくなり、螺旋溝は滑らかな凹状曲面となる。従って、頭部を打圧することで固定ピンは回転しながら地盤に打ち込まれる。
【００１３】
すなわち、ネジをネジ穴に螺合するように回転する必要はなく、従来のストレートな固定ピンを打ち込む場合と同じようにハンマーにて打圧すればよい。そして、固定ピンの頭部を打圧するならば、螺旋溝を形成している為に回転しながら地盤に打ち込まれ、その結果、止着力は大きく強風時であって固定ピンが抜けて防草シート等が捲れ上がることはない。さらに、座金を螺旋状ピンの上端に取付けるならば、回転して打ち込まれる固定ピンの頭部によって防草シート等がよじれることはなく、回転しない座金によって広範囲の防草シート等を押えることが出来る。
【図面の簡単な説明】
【００１４】
【図１】本考案に係る固定ピンを示す実施例。
【図２】螺旋状ピンを成形する材料と成る帯状の長尺材。
【図３】螺旋溝を示す拡大図。
【図４】固定ピンを地盤に打ち込んだ場合。
【図５】防草シートを敷設した具体例。
【図６】従来の防草シートの固定ピンを示す具体例。
【考案を実施するための形態】
【００１５】
図１は本考案に係る防草シートの固定ピンを示す実施例であり、同図の１は螺旋状ピン、２は頭部、３は座金をそれぞれ表している。本考案の固定ピンはアルミ合金などの金属製とし、上記螺旋状ピン１の先端４から頭部２にかけて螺旋溝５を連続して形成し、該螺旋溝５は滑らかな凹状曲面を有し、そして該螺旋溝５のピッチは大きく成っている。
【００１６】
本考案の固定ピンに形成される螺旋溝５は、ネジのように基部と成る軸の外周に切削加工で形成されるネジ溝の形態ではなく、中心軸部を有すことなく、螺旋状ピン全体が捩られることで螺旋溝５を形成している。従って、螺旋状ピン１の外径に対して螺旋溝５の幅寸法及び深さ寸法は大きく成っている。
【００１７】
本考案の固定ピンを製作する方法に関しては限定しないが、例えば図２に示すような細長い帯状の長尺材６を用い、この長尺材６を捩り加工することで上記螺旋状ピン１を成形することが出来る。帯状の長尺材６とは一定厚さがＴで一定幅Ｍを有す長方形断面の部材であり、一方端を固定した状態で他方端を捩るならば全長にわたって螺旋溝５が成形される。
この場合、上記螺旋溝５のピッチが常に一定である必要はなく、多少のバラツキがあっても固定ピンとして機能させるには差し支えない。
【００１８】
図３は螺旋状ピン１の部分拡大図であり、対を成す２本の外周縁７，７は螺旋状をしており、両外周縁７，７の間には螺旋溝５を形成している。該螺旋溝５は凹状曲面８を有し、この凹状曲面８を有す螺旋溝５に土が噛み込んで地盤に打ち込んだ固定ピンは止着される。
【００１９】
図４は本考案の固定ピンを地盤９に打ち込んだ場合を示している。同図に示すように、土１０が螺旋溝５に充填し、固定ピンは抜けないようになる。従って、強風が吹いた場合であっても、固定ピンが抜けて防草シート１１が捲り上がることはなく、安定した敷設が可能となる。
【００２０】
ところで、本考案の固定ピンを地盤９に打ち込んで防草シート１１を止着する作業は、従来の固定ピンの場合と同じである。すなわち、頭部２をハンマーで打圧するならば、該固定ピンは地盤９に打ち込まれるが、回転しながら地盤９に侵入する。滑らかな凹状曲面８した螺旋溝５に土１０が噛み込み、一旦噛み込んだ土１０は固定ピンが回転することで崩れることなく打ち込まれる。
【００２１】
打ち込みが完了したならば、螺旋状ピン１の上端で頭部２に当たっている座金２によって防草シート１１は押えられる。座金３は頭部２より大きくて、広い面積で防草シート１１を押えることが出来る。そして、敷設した防草シート１１を取外す場合には、固定ピンの頭部を工具で逆回転することで抜くことが出来る。このように、地盤９に打ち込む際には頭部２をハンマーで打圧することで回転して侵入するが、強固に固定されて簡単に抜けない。
【符号の説明】
【００２２】
１   螺旋状ピン
２   頭部
３   座金
４   先端
５   螺旋溝
６   長尺材
７   外周縁
８   凹状曲面
９   地盤
10   土
11   防草シート
【図１】
0003224687.tif 000003
【図２】
0003224687.tif 000004
【図３】
0003224687.tif 000005
【図４】
0003224687.tif 000006
【図５】
0003224687.tif 000007
【図６】
0003224687.tif 000008